(57)【要約】【課題】映像情報の付随情報から必要な端末を自動アクセスできるようにする。【解決手段】映像、音声、データなどの各種メイン情報を、制御情報などの付加情報と共にディジタル化したのちパケット化および多重化したＩＳＤＢ用放送信号を受信するＩＳＤＢ用受信装置３０において、受信装置にはＩＳＤＢ用チューナ３６と、映像情報、音声情報および付加情報をそれぞれ復号化する複数の復号化手段４２Ａ〜４２Ｄと、復号化された複数の情報を蓄積する複数のメモリ手段５０，６８と、メモリ手段に蓄積されたサービスデータに基づいた特定の通信制御信号に変換する信号変換手段７２と、通信回線６６に接続されたＴＣＵ６０を有する。サービスデータが通信回線に接続された制御端末に対する制御データであるときは、制御端末が自動制御される。これで特定の端末を自動制御できる。【選択図】        図５
2007166637.tif 000002
【特許請求の範囲】
【請求項１】
映像情報および音声情報を含む番組情報を符号化した符号化情報と、当該映像情報内の画面を複数エリアに分割し各エリア毎に付加されるエリアコードと、各エリアに対応して付加され、かつ、当該受信装置を情報提供装置に自動的に接続させると共に当該受信装置が接続された情報提供装置からそれぞれのエリアに関連する情報を取得するように制御するための制御情報を含む付加情報を符号化した付加情報符号化情報とがパケット化および多重化されて送信される信号を受信する受信装置において、
上記信号を受信して所定の信号を選局する選局手段と、
上記選局手段によって選局された上記所定の信号を、上記符号化情報と上記付加情報符号化情報とに分離する信号分離手段と、
上記信号分離手段により分離された上記符号化情報を上記番組情報に復号すると共に、上記信号分離手段により分離された上記付加情報符号化情報を上記付加情報に復号する復号手段と、
上記映像情報内の特定エリアに付加され上記復号手段により復号された上記付加情報に含まれる制御情報に基づいて、情報提供装置との通信を自動的に確立すると共に、通信が確立された当該情報提供装置から当該特定エリアに対応する情報を取得する通信制御手段と
を備えたことを特徴とする受信装置。
【請求項２】
上記映像情報内の画面の各エリアに対応する画枠を示す画枠信号を発生する画枠信号発生手段と、
上記映像情報と上記画枠信号発生手段により発生された画枠信号とを加算しモニタに対して出力する加算手段と
を備えたことを特徴とする請求項１記載の受信装置。
【請求項３】
上記付加情報は、
上記音声情報を時間方向に複数分割し各エリア毎に付加されるエリアコードと、
それぞれのエリアに関連する上記制御情報と
を有し、
上記通信制御手段は、 
上記音声情報内の特定エリアに付加される上記付加情報に応じて、外部の上記情報提供装置と通信を確立すると共に、通信が確立された当該情報提供装置から当該特定エリアに対応する情報を受信することを特徴とする請求項１記載の受信装置。
【請求項４】
上記制御情報は、
上記情報提供装置にアクセスするためのアクセスコードと、
当該アクセスコードに関連した上記通信制御手段を制御するための通信制御コードとを含み、
上記通信制御手段は、
上記アクセスコード及び上記通信制御コードに応じて外部の上記情報提供装置と通信を確立すると共に、通信が確立された当該情報提供装置から情報を受信することを特徴とする請求項１記載の受信装置。
【請求項５】
上記制御情報は、
上記アクセスコードとして電話番号と、
上記通信制御コードとして上記情報提供装置である電話機を自動発呼し自動的に通信接続するためのコードと
を含み、
上記通信制御手段は、
上記アクセスコード及び上記通信制御コードに応じて上記外部の電話機と通信を確立すると共に、通信が確立された当該電話機から音声情報を受信し、
更に、上記受信された音声情報を再生する音声再生手段を備えたことを特徴とする請求項４記載の受信装置。
【請求項６】
上記制御情報は、
上記アクセスコードとしてファックス番号と、
上記通信制御コードとして上記情報提供装置であるファックスを自動発呼し自動的に通信接続するためのコードと
を含み、
上記通信制御手段は、
上記アクセスコード及び上記通信制御コードに応じて上記外部のファックスと通信を確立すると共に、通信が確立された当該ファックスから画像情報を受信し、
更に、上記受信された画像情報を再生する画像再生手段を備えたことを特徴とする請求項４記載の受信装置。
【請求項７】
上記制御情報は、
上記アクセスコードとしてＩＰアドレスと、
上記通信制御コードとして上記情報提供装置である商用データベースを自動発呼し自動的に通信接続するためのコードとを含み、
上記通信制御手段は、
上記アクセスコード及び上記通信制御コードに応じて上記外部の商用データベースと通信を確立すると共に、通信が確立された当該商用データベースから検索結果情報を受信することを特徴とする請求項４記載の受信装置。
【発明の詳細な説明】
【技術分野】
【０００１】
この発明は、ＩＳＤＢ放送システムなどに適用して好適な受信装置に関する。詳しくは、番組情報のうちの特定の情報に対して受信側端末に接続された通信制御装置を動作させるための制御情報や、映像に関連した音声情報を指定するための制御情報を付加情報として多重伝送し、受信側ではこの付加情報を検索することによって通信制御装置を介して相手側端末を自動的にアクセスできるようにしたり、映像に関連した音声情報を再生できるようにしたものである。
【背景技術】
【０００２】
ディジタル技術の発展に伴い、放送界でも放送信号を含めた各種情報をディジタル化したインタラクティブ形式の統合ディジタル放送システム（ＩＳＤＢ（Integrated Services Digital Broadcasting）システムという）が研究・開発されている。
【０００３】
具体的には、このＩＳＤＢシステムとは現行の放送信号（標準テレビジョン信号、ハイビジョン信号）を始めとして、ソフトウエアやファクシミリなどのデータ、さらには音声、文字、図形、画像などのマルチメディア情報をそれぞれディジタル化（符号化）し、それらを統合多重化した上で、伝送形態に合致した変調処理を施して送受信するようにした放送システムのことである。
【０００４】
放送信号を含めた各種情報を統合多重化する場合、これらの情報の他に受信側での制御情報として使用する付加情報も同時に統合多重化されて送信することができる。統合化されたＩＳＤＢ用放送信号（ディジタル信号）は地上波、衛星波、光ケーブルなどを利用して送信される。
【０００５】
受信端末側では、統合化されたＩＳＤＢ用放送信号を受信して目的の信号を弁別することによってそれをモニタに表示させて通常のテレビ放送として楽しむことができることは勿論、記録手段を用いて記録（保存）したり、他の端末に転送したりすることができる。さらに受信した付加情報を利用すれば、モニタ制御、記録制御さらにはモニタされた画像に対する加工制御など、ユーザの好みに応じて受信情報を利用できることになる。つまり、対話形式（インタラクティブ）の放送システムを構築できる。
【発明の開示】
【発明が解決しようとする課題】
【０００６】
したがってこのＩＳＤＢシステムを利用すれば、送信される付加情報が多種、多様になる程、ユーザに対するサービス内容が向上し、より双方向的な放送システムを構築できる。
【０００７】
ところで、民放番組などでは番組の途中に番組提供先が映し出される場合があり、ユーザにとってはその番組提供先の情報を知りたいようなときがある。新製品の紹介であったり、紹介先の情報であったりする。これらの情報の詳細は殆どの場合アウトラインの紹介が多いので、その詳しい情報を改めて画面などに映し出して見たいときがある。あるいは画面に映し出された問い合わせ先などを瞬時のうちに間違いなく的確に記憶したり、メモすることもなかなか難しい。
【０００８】
このような場合問い合わせ先の情報が映し出されている画像エリアを指定するだけでその詳細な情報を再現できたり、問い合わせ先に自動的にアクセスできれば頗る便利である。
【０００９】
あるいは天気予報の番組で特定のキーを押すことで予報内容を音声で知らせてくれるようになると、予報内容の錯誤もなくなり、ユーザに対する有益なサービス形態を実現できる。
【００１０】
この発明は多チャネル伝送を実現できるＩＳＤＢ用放送信号の信号形態に着目し、受信端末側に接続された通信制御装置を自動アクセスできるようにして、通信制御装置に接続された回線を通して接続可能な端末を自動制御したり、自動的に音声を再生できるようにした通信制御装置に対する制御機能を有した受信装置を提案するものである。
【課題を解決するための手段】
【００１１】
上述した課題を解決するため請求項１に記載したこの発明に係る受信装置は、映像情報および音声情報を含む番組情報を符号化した符号化情報と、当該映像情報内の画面を複数エリアに分割し各エリア毎に付加されるエリアコードと、各エリアに対応して付加され、かつ、当該受信装置を情報提供装置に自動的に接続させると共に当該受信装置が接続された情報提供装置からそれぞれのエリアに関連する情報を取得するように制御するための制御情報を含む付加情報を符号化した付加情報符号化情報とがパケット化および多重化されて送信される信号を受信する受信装置において、上記信号を受信して所定の信号を選局する選局手段と、上記選局手段によって選局された上記所定の信号を、上記符号化情報と上記付加情報符号化情報とに分離する信号分離手段と、上記信号分離手段により分離された上記符号化情報を上記番組情報に復号すると共に、上記信号分離手段により分離された上記付加情報符号化情報を上記付加情報に復号する復号手段と、上記映像情報内の特定エリアに付加され当該部分情報に付加され上記復号手段により復号された上記付加情報に含まれる制御情報に基づいて、情報提供装置との通信を自動的に確立すると共に、通信が確立された当該情報提供装置から当該特定エリアに対応する情報を取得する通信制御手段とを備えたことを特徴とするものである。
【００１２】
請求項２に記載の受信装置は、請求項１において、上記映像情報内の画面の各エリアに対応する画枠を示す画枠信号を発生する画枠信号発生手段と、上記映像情報と上記画枠信号発生手段により発生された画枠信号とを加算しモニタに対して出力する加算手段とを備えたことを特徴とするものである。
【００１３】
請求項３に記載の受信装置は、請求項１において、上記付加情報が、上記音声情報を時間方向に複数分割し各エリア毎に付加されるエリアコードと、それぞれのエリアに関連する上記制御情報とを有し、上記通信制御手段は、上記音声情報内の特定エリアに付加される上記付加情報に応じて、外部の上記情報提供装置と通信を確立すると共に、通信が確立された当該情報提供装置から当該特定エリアに対応する情報を受信することを特徴とするものである。
【００１４】
請求項４に記載の上記制御情報は、請求項１において、上記情報提供装置にアクセスするためのアクセスコードと、当該アクセスコードに関連した上記通信制御手段を制御するための通信制御コードとを含み、上記通信制御手段は、上記アクセスコード及び上記通信制御コードに応じて外部の上記情報提供装置と通信を確立すると共に、通信が確立された当該情報提供装置から情報を受信することを特徴とするものである。
【００１５】
請求項５に記載の受信装置は、請求項４において、上記制御情報が上記アクセスコードとして電話番号と、上記通信制御コードとして上記情報提供装置である電話機を自動発呼し自動的に通信接続するためのコードとを含み、上記通信制御手段は、上記アクセスコード及び上記通信制御コードに応じて上記外部の電話機と通信を確立すると共に、通信が確立された当該電話機から音声情報を受信し、更に、上記受信された音声情報を再生する音声再生手段を備えたことを特徴とするものである。
【００１６】
請求項６に記載の受信装置は、請求項４において、上記制御情報は、上記アクセスコードとしてファックス番号と、上記通信制御コードとして上記情報提供装置であるファックスを自動発呼し自動的に通信接続するためのコードとを含み、上記通信制御手段は、上記アクセスコード及び上記通信制御コードに応じて上記外部のファックスと通信を確立すると共に、通信が確立された当該ファックスから画像情報を受信し、更に、上記受信された画像情報を再生する画像再生手段を備えたことを特徴とするものである。
【００１７】
請求項７に記載の受信装置は、請求項４において、上記制御情報は、上記アクセスコードとしてＩＰアドレスと、上記通信制御コードとして上記情報提供装置である商用データベースを自動発呼し自動的に通信接続するためのコードとを含み、上記通信制御手段は、上記アクセスコード及び上記通信制御コードに応じて上記外部の商用データベースと通信を確立すると共に、通信が確立された当該商用データベースから検索結果情報を受信することを特徴とするものである。
【００１８】
本発明に係る受信装置によれば、ｎ×ｍ個に分割されたそれぞれの画像エリアにはエリアコードが付され、エリアコードにはその画像エリア内に表示されている映像と関連するコントロールコード（サービスコード）が付され、これらエリアコードとコントロールコードからなる付加情報が映像と音声と同時に受信側へ伝送される。
【００１９】
例えば、（２，２）の画像エリアを指定すると、このエリアに表示されたコマーシャル提供先の電話番号を表すコントロールコードが同時に伝送されているので、このコントロールコードを変換したＴＣＵ（Telecomunication Contol Unit）制御信号が通信制御手段（ＴＣＵ）に送られる。
【００２０】
これを受けて通信制御手段では制御信号（発呼信号とダイヤル信号）にしたがったアクセス処理（回線接続作業）が自動的に行われる。したがって被呼側で応答すれば受信端末側の電話機との間で通話ができるようになる。
【００２１】
また、コントロールコードがファクスをアクセスするコードであるときには、自動発信状態にある相手側ファクスが自動アクセスされ、ファクス情報は受信側に設けられたモニタに画像として表示されたり、あるいは受信端末側に設置されたファクス本体でハードコピーされる。
【００２２】
音声情報に対してアクセスすると、付加情報のうち音声情報が例えば文節単位で再生される。そのため天気予報、テレビショッピングなどの映像情報に関連した音声を再生することができる。
【発明の効果】
【００２３】
この発明に係る受信装置によれば、ＩＳＤＢ用放送信号の一態様として、映像情報や音声情報に付随する情報提供先についての詳細な問い合わせ情報を付加情報として送信されてくると、受信側では情報提供先端末を自動アクセスできるようにしたものである。
【００２４】
これによれば、受信した映像の中にユーザにとって有用な情報があると判断したとき、その画像エリアを指定することによって、その画像エリアに表示された情報に関する情報入手先に対して自動アクセス処理がなされ、文字データや音声データとしてユーザが入手できるようになる。したがって、番組提供先の製品の詳細内容をユーザの手を煩わせることなく簡単に入手できる実益を有する。
【００２５】
さらに音声エリアを指定すると、予め用意された音声情報を入手できるので、例えば天気予報（特に地域別の局所的な天気予報）などの詳細を居ながらにして入手できる特徴を有する。
【発明を実施するための最良の形態】
【００２６】
続いて、この発明に係る受信装置の実施の一形態を、図面を参照して詳細に説明する。
【００２７】
図１はこの発明に係る受信装置に対するＩＳＤＢ用送信装置１０の一形態を示す要部の系統図であって、統合されて送信される情報としては、標準テレビジョン信号、ハイビジョン信号などの映像情報、これに関連した音声情報さらにはこれら映像あるいは音声情報に関連したデータ情報などである。このうちデータ情報は映像情報や音声情報に関連した情報であるので付加情報となる。
【００２８】
したがって端子１２aには映像信号が、端子１４aにはそれに付随した音声信号が供給され、それぞれ対応する符号化部１２、１４で圧縮などを含めた適切な符号化処理が施される。この符号化処理に同期して端子１６aに与えられた付加情報信号（データ情報信号）が符号化部１６で同様な圧縮処理を含めた符号化処理が施される。符号化された映像信号、音声信号および付加情報信号が多重化部１８に供給されて多重化処理がなされる。
【００２９】
上述したように信号を多重化する場合には、符号化されたデータをパケット化して多重される。多重化の例を図２を参照して説明する。
【００３０】
図２は映像信号としてテレビジョン信号例えば番組放送を例示してある。番組放送は画像データと音声データとで構成されるので、同図のように数１０〜１００数１０フレーム（例えば１２０フレーム）を単位とし、これら単位フレームごとに画像ヘッダが付けられる。音声データの場合には数１０秒を単位として音声ヘッダが付けられる。
【００３１】
一方、データ信号の場合には画像データに対応したスロットと、音声データに対応したスロットとに分けられる。画像データに関するスロットでは送信されるフレーム内の画像に対してエリアコードが付される。これは例えば図３に示すように１画面を便宜的にｎ×ｍ個のエリアに分割し、それぞれのエリアに関連した制御情報（コード化されたコントロール情報であって、以下サービスコードという）を付加するためである。エリアコードは水平と垂直方向における分割アドレスが使用される。
【００３２】
サービスコードは情報の提供先をアクセスするためのアクセスコード（電話番号、ファクス番号、ＩＰアドレス（インタネット・プロトコールアドレス））と、このアクセスコードに関連した通信制御手段（ＴＣＵ）を起動するためのコード（ＴＣＵコントロールコード）で構成される。
【００３３】
例えばアクセスコードが電話番号であるときには、ＴＣＵコントロールコードとしては、情報提供先端末である電話機に自動発呼し、電話回線を接続するために必要な信号（ＴＣＵ制御信号）を得るためのコードが用いられる。情報提供先端末がファクスであるときは、ファクス番号がアクセスコードであり、ファクスとの間の回線接続を行うためのＴＣＵ制御信号がＴＣＵコントロールコードとなる。この他にＩＰアドレスは商用データサービスをアクセスするためのコードである。
【００３４】
音声データに関してもそのデータ信号として音声エリアコードとサービスコードが使用される。音声データに関しては図４のように、例えば２〜３秒の文節単位（ｎ−１），ｎ，（ｎ＋１），・・・で指定できるように、音声エリアコードは文節を時間ｔによって指定する。例えば文節ｎを指定することで、『明日は雨のち晴でしょう。』の音声を再生できる。
【００３５】
音声データに関するサービスコードは、音声情報を提供する相手側をアクセスするためのアクセスコード（上述したように電話番号など）と、このアクセスコードに関連したＴＣＵコントロールコード（電話回線を接続するためのＴＣＵ制御信号など）である。
【００３６】
以上のようなデータ信号が付加情報として多重化部１８において映像信号や音声信号と共に多重化され、送信部２０ではこの多重化信号に対し、チャネルコーデックや変調などの送信に必要な処理が施されて、送信形態（例えば衛星放送波）に適したＩＳＤＢ用放送信号に変調されたのち、この例ではアップコンバータ２２を経て送信アンテナ（パラボラアンテナ）２４で放送衛星に向けて送信される。
【００３７】
図５は上述したようなＩＳＤＢ用放送信号を受信するこの発明に係る受信装置３０の一例を示す。
【００３８】
受信アンテナ（パラボラアンテナ）３２で受信した衛星波はダウンコンバータ３４によって１ＧＨｚ帯にダウンコンバートされ、その後ＩＳＤＢ用チューナ３６を経てディジタル復調器３８に供給されて選局操作と復調処理が行なわれる。
【００３９】
選局されたＩＳＤＢ用放送信号は信号分離部４０に供給されて、映像情報、音声情報およびデータ情報とに分離される。例えば標準テレビジョン信号が選局されたときには、標準テレビジョン信号に関する映像信号と音声信号およびこの特定チャネルに付随する付加情報（画像エリアコード、サービスコード）とに分離される。
【００４０】
分離された各情報信号はそれぞれ対応する復号部（デコーダ）４２Ａ〜４２Ｃに供給されて復号処理が行なわれる。復号部は映像信号、音声信号およびデータ信号を復号すべく３個の復号部を用意すれば足りるが、テレビジョン信号用として復号部を２個用意することもできる。図５に示す復号部４２Ｄはそのために設けられている。
【００４１】
復号されたそれぞれのデータはスイッチャー４４で特定の復号データが選択される。スイッチャー４４はコンピュータを内蔵した制御部４６からの制御信号によって制御される。制御部４６はキーボード４８からの指示によっても動作する。キーボード４８に代え、リモコン式のコマンダ（図示はしない）から指示を与えるようにしてもよい。
【００４２】
スイッチャー４４で選択された信号のうち映像信号と音声信号とは専用メモリ手段（ＲＡＭなど）５０に一時的に蓄積されたのち、メモリコントローラ（アドレスコントローラ）５１からの指示にしたがって蓄積信号がリードされる。リードされた映像信号と音声信号がスイッチング手段５２を介してモニタ（ＣＲＴなど）５４に供給されて映像が映し出されると共にスピーカ５６で音声信号が再生される。
【００４３】
この発明ではこのような構成に加えて復号されたデータ信号で通信制御手段（ＴＣＵ）６０が制御されるように構成されている。通信制御手段６０には電話機６２やファクス６４などの端末機が接続される他に通信回線６６が接続され、相手側端末機（情報提供先端末）（図示はしない）とアクセスできるようになされている。
【００４４】
そのため、スイッチャー４４で選択されたデータ信号はデータ専用のメモリ手段（ＲＡＭなど）６８に一時的に蓄積され、メモリコントローラ（アドレスコントローラ）７０の指示にしたがってリードされたデータ信号がＴＣＵ用変換手段７２に供給されて、指定された画像エリアに対応したデータ信号がＴＣＵ制御信号に自動変換される。
【００４５】
この自動変換処理を実現するためＴＣＵ用変換手段７２にはさらに制御部４６で生成された画像エリア（音声エリアも含む）を指定するためのエリア指定信号が供給される。ＴＣＵ用変換手段７２で変換されたＴＣＵ制御信号（特定端末アクセス信号）は上述の通信制御手段６０に供給される。通信制御手段６０ではこのＴＣＵ制御信号を受けて対応する情報提供先端末（相手側端末）に対する自動アクセス処理が開始される。
【００４６】
アクセス処理が終了すると、通信回線６６より伝送された情報（音声、データ、画像情報など）に応じて電話機６２、ファクス６４あるいはモニタ５４を利用してその情報が再現される。モニタ５４やスピーカ５６を利用する場合には通信制御手段６０で受信した信号がデータ変換手段８６に供給されて、ＴＣＵデータが画像信号若しくはアナログ音声信号に変換されてスイッチング手段５２に供給されることになる。
【００４７】
具体的にどのような制御信号に基づいて入力データ信号が特定端末のＴＣＵ制御信号（端末アクセス信号）に変換され、受信側で利用されるかについては後述する。
【００４８】
スイッチャー４４で選択された映像信号、音声信号およびデータ信号はさらに外部記憶装置に記憶しておき、必要なときにその信号を利用できるように構成することもできる。その場合には映像信号、音声信号、データ信号が記憶に適合するように、変換手段７６で信号変換されて外部記憶装置７８に記憶される。外部記憶装置７８としてはＶＴＲ，光磁気ディスク装置、半導体メモリ手段などを利用できる。
【００４９】
外部記憶装置７８から読み出された信号は信号逆変換手段８０で元の信号形態に戻されたのち、映像信号と音声信号はＡＶ用のメモリ手段５０に再書き込みされる。同様にデータ信号の場合にはデータ用のメモリ手段６８に再書き込みされる。外部記憶装置７８に対する制御は制御部４６で司るが、図では省略されている。
【００５０】
モニタ５４に映し出されている画像の中から特定の画像エリアを指定するためには、図３に破線で示すような升目状の分割線（画枠）を画像に重複して表示した方が、画像エリアを正確に指定できるため都合がよい。そのため、画枠発生手段８２が設けられ、この画枠信号が加算器８４でメモリ手段５０より読み出された映像信号に加算される。これによってモニタ５４の画面には図３のような画枠が表示される。
【００５１】
スイッチング手段５２にはメモリ手段５０からの信号の他にメモリ手段５０に与えられる信号そのものも直接供給されるように構成され、制御部４６からのスイッチング信号でその何れかが選択され、さらに選択されたこの信号と変換手段８６を介して入力された端末信号とがさらに通信制御手段６０で生成された制御信号（ＴＣＵ受信確認信号TCU・ACK）によって選択される。
【００５２】
ＴＣＵ用変換手段７２にはメモリカードなどの個人情報供給手段７４が接続できるようになされている。これはインタテックなどの商用データベースを使用するときのアクセス手段として利用される。
【００５３】
さてこのように構成された受信装置３０の受信動作、とくに情報提供先端末を自動アクセスする動作を以下に説明する。
受信した映像の中でユーザ（視聴者）にとって有用な情報（例えば番組提供先の製品内容）が表示されているものとし、その情報が図３に示す（２，２）の画像エリア内に含まれているものとする。その場合には、キーボード４８より画像エリアコード（実際は画像エリアの座標）を指定する。
【００５４】
指定された画像エリアのサービスコードとして番組提供先の電話番号が当てがわれているものであるときには、このサービスコードがＴＣＵ用変換手段７２において電話機をアクセスするためのオフフック信号や電話番号に関連したダイヤルパルス信号（プッシュトーン信号）に変換され、これがＴＣＵ制御信号として通信制御手段６０に与えられる。通信制御手段６０では与えられた電話番号先（情報提供先の電話機）に発呼し通信回線６６を接続する。通信回線６６が接続されると、電話機６２との間での通話が可能になり、番組提供先の詳しい情報を入手できる。電話機６２ではなくスピーカ５６から音声を再生してもよい。
【００５５】
指定された画像エリアのサービスコードが番組提供先のファクス番号であるときも、このサービスコードを解析したＴＣＵ制御信号（電話番号と同じ）で通信制御手段６０が自動制御されて情報提供先のファクスとの間で呼の確立処理が行われ、通信回線６６が接続されるとファクス６４によって詳細情報がハードコピーされる。若しくはモニタ５４にその詳細情報が表示されるので、居ながらにして受信した映像の中で必要な情報を簡単に入手できる。
【００５６】
サービスコードが商用データベースに関するアクセス情報（例えばＩＰアドレス）であるときには通信制御手段６０内のモデム（図示はしない）を介して商用データベースがアクセスされて所望ジャンルの情報を文字情報（音声情報を含むこともある）として入手できる。この場合のＴＣＵ制御信号はモデムコマンド信号であり、またデータベースアクセスコマンド信号である。これら検索結果の情報は上述した外部記憶装置７８などを利用して蓄積・保存することもできる。
【００５７】
データ信号として音声情報を検索したいときには、キーボード４８より特定キーを操作することによって必要とする文節が指定される。この例では、キーボード４８に設けられたテンキー（０〜９）、ファンクションキー（ｓ，ｖ，＊，＃，／など）を利用して文節の指定が行われる。
【００５８】
これらの指定を行うためにはキーボード４８の複数キーと機能指定との関係を次のように選ぶことができる。
【００５９】
ｓ：検索状態移行
ｖ：通常状態移行
−：前フレームへ
＋：次フレームへ
＊ｎｎ：画像エリア（ｎ，ｎ）の指定  ｎは０〜９まで
＃＋，＃−：音声エリア指定（＋は先行文節、−は後行文節）
／：検索実行
したがって、図３のように画像エリア（２，２）について検索実行したいときには、キーボード４８からの指定は、（ｓ＊２２／）となる。また図４のように文節（ｎ＋１）について検索実行したいときには、（ｓ＃＋／）を指定すればよい。
【産業上の利用可能性】
【００６０】
この発明は複数チャネルを利用して互いに関連する情報入手先などを付加情報として多重化して伝送できるＩＳＤＢ放送システムに適用して極めて好適である。
【図面の簡単な説明】
【００６１】
【図１】この発明に係る受信装置に対するＩＳＤＢ用送信装置１０の実施の一形態を示す要部の系統図である。
【図２】映像、音声およびデータに関するデータ構成例を示す図である。
【図３】画像エリアについての検索例を示す図である。
【図４】音声エリアについての検索例を示す図である。
【図５】この発明に係るＩＳＤＢ用受信装置３０の実施の一形態を示す要部の系統図である。
【符号の説明】
【００６２】
１０  ＩＳＤＢ用送信装置
１２，１４，１６  符号化部
１８  多重化部
３６  ＩＳＤＢ用チューナ
４２Ａ〜４２Ｄ  復号部（デコーダ）
４６  制御部
５０  ＡＶメモリ手段
５４  モニタ
６０  通信制御手段
６８  データメモリ手段
８２  画枠発生手段
【図１】
2007166637.tif 000003
【図２】
2007166637.tif 000004
【図３】
2007166637.tif 000005
【図４】
2007166637.tif 000006
【図５】
2007166637.tif 000007